(57)【特許請求の範囲】
【請求項１】
平面状の前面を有したバックライトユニットと、
表示エリアを含む第１面と、該第１面とは反対側に位置して前記バックライトユニットに向かい合う第２面とを有したガラスセルと、
前記表示エリアが露出する開口部が設けられたベゼルと、
前記ガラスセルの第２面と前記バックライトユニットの前面とを固定するとともに、前記バックライトユニットから前記ガラスセルに向かう光を通す複数の接着部と、
を備え、
前記複数の接着部は、前記ガラスセルと前記バックライトユニットとの間に亘り互いに接しないように離れて設けられ、該複数の接着部の間に空間部が設けられた表示装置。
【請求項２】
請求項１の記載において、
前記複数の接着部は、少なくとも前記ガラスセルの中央部と前記バックライトユニットの中央部とを固定した表示装置。
【請求項３】
請求項１または請求項２の記載において、
当該表示装置が設置される設置場所と前記バックライトユニットとの間に設けられた設置ユニットと、
前記設置ユニットに設けられた衝撃吸収部と、
をさらに備えた表示装置。
【請求項４】
請求項１または請求項２の記載において、
前記表示装置が設置される設置場所と前記バックライトユニットとの間に設けられた設置ユニットと、
前記設置ユニットと前記バックライトユニットとの間に設けられた衝撃吸収部と、
をさらに備えた表示装置。
【発明の詳細な説明】
【技術分野】
【０００１】
本発明の実施形態は、表示装置に関する。
【背景技術】
【０００２】
緩衝部材を備えたディスプレイ装置が提供されている。
【先行技術文献】
【特許文献】
【０００３】
【特許文献１】特開２００１−１７７７８６号公報
【発明の概要】
【発明が解決しようとする課題】
【０００４】
一般的に、ガラスセルのようなパネルセルは、バックライトユニットとともに、ベゼルとバックカバーとの間に挟まれて保持されている。
【０００５】
しかしながら、将来的に、表示装置の額縁がさらに狭くなる可能性がある。表示装置の額縁がさらに狭くなると、ベゼルによってパネルセルの前面を十分に保持することが難しくなることが考えられる。
【０００６】
本発明の目的は、パネルセルを確実に保持することが可能な表示装置を提供することである。
【課題を解決するための手段】
【０００７】
実施形態によれば、表示装置は、平面状の前面を有したバックライトユニットと、表示エリアを含む第１面と該第１面とは反対側に位置して前記バックライトユニットに向かい合う第２面とを有したガラスセルと、前記表示エリアが露出する開口部が設けられたベゼルと、前記ガラスセルの第２面と前記バックライトユニットの前面とを固定するとともに、前記バックライトユニットから前記ガラスセルに向かう光を通す複数の接着部と、を備え、前記複数の接着部は、前記ガラスセルと前記バックライトユニットとの間に亘り互いに接しないように離れて設けられ、該複数の接着部の間に空間部が設けられた表示装置。
【図面の簡単な説明】
【０００８】
【図１】第１実施形態に係る表示装置を示す断面図。
【図２】図１中に示されたパネルユニットを示す断面図。
【図３】第２実施形態にパネルユニットを示す断面図。
【図４】第３実施形態に係る表示装置を示す断面図。
【図５】第４実施形態に係る表示装置を示す断面図。
【図６】第５実施形態に係る表示装置を示す断面図。
【図７】第６実施形態に係る表示装置を示す断面図。
【図８】第７実施形態に係る表示装置を示す断面図。
【図９】第８実施形態に係る表示装置を示す断面図。
【図１０】図９中に示された表示装置の正面図。
【発明を実施するための形態】
【０００９】
以下、実施の形態について、図面を参照して説明する。
【００１０】
（第１実施形態）  
図１及び図２は、第１実施形態に係る表示装置１を開示している。表示装置１は、「電子機器」の一例であり、例えばテレビジョン受像機である。なお、表示装置１は、放送電波を受信するものに限らず、例えばモニターなどでもよい。
【００１１】
図１に示すように、表示装置１の一例は、壁２に取り付けられて使用される。壁２は、「表示装置が設置される設置場所（設置部）」の一例である。なお、「表示装置が設置される設置場所」は、壁に限定されず、天井や床、テレビ台などが適宜該当する。
【００１２】
図１に示すように、本実施形態に係る表示装置１は、表示ユニット３（表示装置本体）と、この表示ユニット３を壁２に取り付ける壁掛け金具４とを含む。壁掛け金具４は、「設置ユニット」及び「支持部」の其々一例である。壁掛け金具４は、表示ユニット３と壁２との間に位置し、表示ユニット３を支持する。
【００１３】
表示ユニット３は、筐体５と、この筐体５に収容されたパネルユニット６とを有する。筐体５は、前壁７、背壁８、及び周壁９を有し、扁平な箱状に形成されている。前壁７は、パネルユニット６の表示画面（表示エリアＤ）が露出する開口部７ａが設けられている。背壁８は、パネルユニット６に対して前壁７とは反対側に位置し、前壁７と略平行に広がる。周壁９は、前壁７の周縁部と背壁８の周縁部との間を繋いでいる。
【００１４】
図２は、パネルユニット６の詳細を示す。本実施形態に係るパネルユニット６は、例えば液晶ディスプレイである。なお、「パネルユニット」は、これに限定されず、プラズマディスプレイやその他のディスプレイが適宜該当する。
【００１５】
図２に示すように、パネルユニット６は、ガラスセル１１、バックライトユニット１２、スペーサ１３、ベゼル１４（フロントベゼル）、及びバックカバー１５を有する。ガラスセル１１（ガラス液晶セル）は、２枚のガラス板（ガラス基板）と、それらの間に封止された液晶とを含む。ガラスセル１１は、「パネルセル」の一例である。なお、パネルセルの素材は、ガラスに限定されるものではなく、他の素材でもよい。
【００１６】
ガラスセル１１は、前面１１ａ、背面１１ｂ（裏面）、及び周面１１ｃを有する。前面１１ａは、「第１面」の一例である。前面１１ａは、表示エリアＤ（表示面）を含み、筐体５の開口部７ａから外部に露出される。背面１１ｂは、「第２面」の一例である。背面１１ｂは、前面１１ａとは反対側に位置し、前面１１ａと略平行に広がる。周面１１ｃは、前面１１ａ及び背面１１ｂとは交差する方向（例えば略直交する方向）に延び、前面１１ａの周縁と背面１１ｂの周縁とを繋ぐ。「背面１１ｂ」及び「周面１１ｃ」は、「ガラスセル（パネルセル）の表示エリア以外の部分」の其々一例である。
【００１７】
バックライトユニット１２は、ガラスセル１１の背後に位置し、ガラスセル１１の背面１１ｂに向かい合う。バックライトユニット１２は、例えば光源としてのＬＥＤ１７(light-emitting diode)と、この光源からの光をガラスセル１１に向けて通す導光板１８とを含む。
【００１８】
バックライトユニット１２は、ガラスセル１１とは別体である。バックライトユニット１２は、「ガラスセル（パネルセル）とは構造的に独立した部材」の一例である。なお、「ガラスセル（パネルセル）とは構造的に独立した部材」は、バックライトユニットに限らず、例えばスペーサ１３やバックカバー１５、またはその他の部材が適宜該当する。
【００１９】
バックライトユニット１２は、前面１２ａ、背面１２ｂ（裏面）、及び周面１２ｃを有する。前面１２ａは、ガラスセル１１に向かい合う。背面１２ｂは、前面１２ａとは反対側に位置し、前面１２ａと略平行に広がる。周面１２ｃは、前面１２ａ及び背面１２ｂとは交差する方向（例えば略直交する方向）に延び、前面１２ａの周縁と背面１２ｂの周縁とを繋ぐ。
【００２０】
図２に示すように、スペーサ１３は、バックライトユニット１２の側方（図中では上方）に設けられている。スペーサ１３は、例えばバックカバー１５に固定されている。スペーサ１３は、「支持部材」の一例である。
【００２１】
スペーサ１３は、第１部分１３ａと、第２部分１３ｂとを有する。第１部分１３ａは、バックライトユニット１２の周面１２ｃに向かい合う。第２部分１３ｂは、ガラスセル１１とバックライトユニット１２との間に位置し、ガラスセル１１とバックライトユニット１２との間に適度な隙間を設けている。
【００２２】
図２に示すように、バックカバー１５は、バックライトユニット１２の背後を覆う。バックカバー１５は、バックライトユニット１２の背面１２ｂに向かい合う第１部分１５ａと、バックライトユニット１２の周面１２ｃに向かい合う第２部分１５ｂとを有する。第２部分１５ｂには、スペーサ１３が固定されている。
【００２３】
図１に示すように、バックカバー１５は、筐体５とともに、壁掛け金具４に固定され、壁掛け金具４に支持されている。バックカバー１５は、壁掛け金具４に例えばねじ１９で固定されている。バックライトユニット１２は、バックカバー１５とスペーサ１３の第２部分１３ｂとの間に挟まれて保持されている。すなわち、バックライトユニット１２は、バックカバー１５及びスペーサ１３を介して壁掛け金具４に支持されている。
【００２４】
図２に示すように、本実施形態では、ガラスセル１１とバックライトユニット１２との間には、ガラスセル１１とバックライトユニット１２とを固定した固定部２１が設けられている。固定部２１の一例は、接着剤または両面テープによる接着部である。固定部２１は、例えばガラスセル１１の背面１１ｂとバックライトユニット１２の前面１２ａとを固定している。これにより、ガラスセル１１は、バックライトユニット１２に支持されている。
【００２５】
固定部２１は、例えばガラスセル１１の背面１１ｂ及びバックライトユニット１２の前面１２ａに部分的に設けられている。固定部２１は、少なくともガラスセル１１の中央部１１ｄとバックライトユニット１２の中央部１２ｄとを固定している。なお、固定部２１は、例えばガラスセル１１の背面１２ｂの略全面とバックライトユニット１２の前面１２ａの略全面とに設けられてもよい。
【００２６】
固定部２１の一例は、光を透過させる部材である。固定部２１は、バックライトユニット１２からガラスセル１１に向かう光を通す。このため、バックライトユニット１２とガラスセル１１との間に固定部２１が存在しても、バックライトユニット１２からの光はガラスセル１１に届く。なお、固定部２１は、透明でもよく、透明でなくてもよい。
【００２７】
なお、固定部２１が設けられる場所は、ガラスセル１１とバックライトユニット１２との間に限定されない。固定部２１は、ガラスセル１１の表示エリアＤ以外の部分と、ガラスセル１１とは構造的に独立した部材とを固定してもよい。固定部２１は、例えばガラスセル１１の背面１１ｂとバックカバー１５とを固定してもよく、または、ガラスセル１１の背面１１ｂまたは周面１１ｃとスペーサ１３とを固定してもよい。なお、固定部２１が固定する場所は、これらに限られない。
【００２８】
図２に示すように、ベゼル１４は、ガラスセル１１の周縁に設けられ、枠状に形成されている。ベゼル１４は、ガラスセル１１の前面１２ａに向かい合う第１部分１４ａと、ガラスセル１１の周面１１ｃ及びバックカバー１５の一部に向かい合う第２部分１４ｂとを有する。第１部分１４ａは、ガラスセル１１の表示エリアＤを外部に露出させる開口部１４ｃが設けられている。ベゼル１４は、バックカバー１５に固定されている。バックライトユニット１２、スペーサ１３、及びバックカバー１５は、ガラスセル１１に対してベゼル１４の開口部１４ｃとは反対側に位置する。
【００２９】
このような構成によれば、ガラスセル１１を確実に保持することが可能な表示装置１を提供することができる。
【００３０】
一般的に、ガラスセルのようなパネルセルは、特定の部材に固定されず、バックライトユニットとともにベゼルとバックカバーとの間に挟まれて保持されることが多い。しかしながら、将来的には、表示装置の額縁がさらに狭くなる可能性がある。表示装置の額縁がさらに狭くなると、ガラスセルの前面を押さえるベゼルの部分が小さくなることが予想される。一例としては、ベゼルの前面部分（第１部分１４ａ）の幅が４．８ｍｍになる場合、ガラスセルの前面とベゼルとの重なり（オーバーラップ代）は、例えば０．８ｍｍになる。このため、例えば地震のような大きな衝撃が加わる特殊な場合には、ガラスセルがベゼルから脱落する可能性がゼロではなくなることが考えられる。
【００３１】
一方で、本実施形態に係る表示装置１は、ガラスセル１１の表示エリアＤ以外の部分と、ガラスセル１１とは構造的に独立した部材（例えばバックライトユニット１２）とを固定した固定部２１を有する。この構成によれば、ガラスセル１１は、固定部２１によって、ガラスセル１１とは構造的に独立した部材（例えばバックライトユニット１２）に支持されている。これにより、狭額縁の表示装置１においても、ガラスセル１１を確実に保持することができ、ガラスセル１１の脱落を防止することができる。
【００３２】
本実施形態では、固定部２１は、ガラスセル１１の背面１１ｂとバックライトユニット１２とを固定している。ガラスセル１１の背面１１ｂは、表示エリアＤを除いて表示装置１のなかで最も大きな面積が確保可能な領域である。このガラスセル１１の背面１１ｂ及びバックライトユニット１２の前面１２ａを活用することで、ガラスセル１１を固定する接着面積を大きく確保することができる。これにより、ガラスセル１１をさらに強固に保持することができる。
【００３３】
本実施形態では、固定部２１は、バックライトユニット１２からガラスセル１１に向かう光が通過可能な部材である。このような構成によれば、バックライトユニット１２とガラスセル１１との間に固定部２１を設けることの不具合を回避することができる。
【００３４】
本実施形態では、固定部２１は、少なくともガラスセル１１の中央部１１ｄとバックライトユニット１２の中央部１２ｄとを固定している。ガラスセル１１は、振動や衝撃が加わった時に該ガラスセル１１の中央部１１ｄが撓み、ベゼル１４から脱落しやすくなる。本実施形態では、固定部２１によって、ガラスセル１１の中央部１１ｄが変形しにくい（撓みにくい）。このような構成によれば、ガラスセル１１をさらに確実に保持することができる。
【００３５】
（第２実施形態）  
次に、図３を参照して、第２実施形態に係る表示装置１を説明する。なお、第１実施形態の構成と同一または類似の機能を有する構成は、同一の符号を付してその説明を省略する。また、下記に説明する以外の構成は、第１実施形態と同じである。
【００３６】
図３に示すように、本実施形態では、固定部２１は、ガラスセル１１の背面１１ｂとスペーサ１３との間に設けられ、ガラスセル１１とスペーサ１３とを固定している。スペーサ１３は、バックカバー１５に固定されている。
【００３７】
図３に示すように、本実施形態に係る固定部２１は、バックライトユニット１２とガラスセル１１との間に位置しない。固定部２１は、透明に限られず、有色の素材や半透明の素材など光を透過させない素材でもよい。
【００３８】
このような構成によれば、上記第１実施形態と同様に、ガラスセル１１を確実に保持することが可能な表示装置１を提供することができる。
【００３９】
（第３施形態）  
次に、図４を参照して、第３実施形態に係る表示装置１を説明する。なお、第１実施形態の構成と同一または類似の機能を有する構成は、同一の符号を付してその説明を省略する。また、下記に説明する以外の構成は、第１実施形態と同じである。
【００４０】
図４に示すように、本実施形態では、壁掛け金具４に衝撃吸収部３１（緩衝部）が設けられている。衝撃吸収部３１は、例えばゴムやバネのような弾性部材、または油圧ダンパーや空気ダンパーのような緩衝部材を含む。
【００４１】
図４に示すように、壁掛け金具４は、壁２と表示ユニット３との間に設けられている。壁掛け金具４は、壁２に固定される第１部材３２、表示ユニット３に固定される第２部材３３、及び第１部材３２と第２部材３３との間に設けられた第３部材３４とを有する。第２部材３３の下端部は、第１部材３２の下端部に連結されている。第３部材３４は、第１部材３２の上端部と第２部材３３の上端部との間に亘り、第１部材３２と第２部材３３とを連結している。
【００４２】
図４に示すように、本実施形態では、第１部材３２の下端部と第２部材３３の下端部との間、及び第３部材３４の途中に、衝撃吸収部３１が其々設けられている。これにより、壁２から第１部材３２に伝わる衝撃及び振動の一部は、表示ユニット３に伝わる前に衝撃吸収部３１によって吸収される。これにより、表示ユニット３には、大きな衝撃及び振動が伝わり難い。
【００４３】
このような構成によれば、上記第１実施形態と同様に、ガラスセル１１を確実に保持することが可能な表示装置１を提供することができる。また、本実施形態では、壁掛け金具４に衝撃吸収部３１（緩衝部）が設けられている。これにより、大きな衝撃及び振動が表示ユニット３に伝わり難く、ガラスセル１１の保持をさらに確実にすることができる。
【００４４】
（第４施形態）  
次に、図５を参照して、第４実施形態に係る表示装置１を説明する。なお、第１及び第３の実施形態の構成と同一または類似の機能を有する構成は、同一の符号を付してその説明を省略する。また、下記に説明する以外の構成は、第１実施形態と同じである。
【００４５】
図５に示すように、本実施形態に係る表示装置１は、表示ユニット３と、この表示ユニット３を天井３６に取り付ける取付部材３７とを含む。天井３６は、「表示装置が設置される設置場所（設置部）」の一例である。取付部材３７は、「設置ユニット」及び「支持部」の其々一例であり、天井３６と表示ユニット３との間に設けられている。
【００４６】
図５に示すように、本実施形態では、取付部材３７の途中に衝撃吸収部３１が設けられている。これにより、天井３６から取付部材３７に伝わる衝撃及び振動の一部は、表示ユニット３に伝わる前に衝撃吸収部３１によって吸収される。これにより、表示ユニット３には、大きな衝撃及び振動が伝わり難い。
【００４７】
このような構成によれば、上記第１実施形態と同様に、ガラスセル１１を確実に保持することが可能な表示装置１を提供することができる。また、上記第３実施形態と同様に、天井３６からの衝撃及び振動は衝撃吸収部３１によって緩和され、ガラスセル１１の保持をさらに確実にすることができる。
【００４８】
（第５施形態）  
次に、図６を参照して、第５実施形態に係る表示装置１を説明する。なお、第１及び第３の実施形態の構成と同一または類似の機能を有する構成は、同一の符号を付してその説明を省略する。また、下記に説明する以外の構成は、第１実施形態と同じである。
【００４９】
図６に示すように、本実施形態に係る表示装置１は、表示ユニット３と、この表示ユニット３を床４１（またはテレビ台）の上で支えるスタンド４２とを含む。床４１（またはテレビ台）は、「表示装置が設置される設置場所（設置部）」の一例である。スタンド４２は、「設置ユニット」及び「支持部」の其々一例であり、床４１と表示ユニット３との間に設けられている。
【００５０】
図６に示すように、本実施形態では、スタンド４２の途中に衝撃吸収部３１が設けられている。これにより、床４１からスタンド４２に伝わる衝撃及び振動の一部は、表示ユニット３に伝わる前に衝撃吸収部３１によって吸収される。これにより、表示ユニット３には、大きな衝撃及び振動が伝わり難い。
【００５１】
このような構成によれば、上記第１実施形態と同様に、ガラスセル１１を確実に保持することが可能な表示装置１を提供することができる。また、上記第３実施形態と同様に、床４１からの衝撃及び振動は衝撃吸収部３１によって緩和され、ガラスセル１１の保持をさらに確実にすることができる。
【００５２】
（第６施形態）  
次に、図７を参照して、第６実施形態に係る表示装置１を説明する。なお、第１、第３、及び第５の実施形態の構成と同一または類似の機能を有する構成は、同一の符号を付してその説明を省略する。また、下記に説明する以外の構成は、第１実施形態と同じである。
【００５３】
図７に示すように、本実施形態では、スタンド４２は、床４１に設置されるスタンド本体４５（設置ユニット本体）と、表示ユニット３に取り付けられる取付板４６とを含む。取付板４６は、スタンド本体４５（設置ユニット本体）に支持される。
【００５４】
本実施形態では、スタンド本体４５と取付板４６との間に衝撃吸収部３１が設けられている。これにより、床４１からスタンド４２に伝わる衝撃及び振動の一部は、表示ユニット３に伝わる前に衝撃吸収部３１によって吸収される。これにより、表示ユニット３には、大きな衝撃及び振動が伝わり難い。
【００５５】
このような構成によれば、上記第１実施形態と同様に、ガラスセル１１を確実に保持することが可能な表示装置１を提供することができる。また、上記第５実施形態と同様に、床４１からの衝撃及び振動は衝撃吸収部３１によって緩和され、ガラスセル１１の保持をさらに確実にすることができる。
【００５６】
以上、上記第２乃至第６の実施形態によれば、表示ユニット３を支持する設置ユニット（設置部材）に衝撃吸収部３１が設けられるため、表示ユニット３の汎用化を図ることができる。
【００５７】
（第７施形態）  
次に、図８を参照して、第７実施形態に係る表示装置１を説明する。なお、第１、第３、及び第４の実施形態の構成と同一または類似の機能を有する構成は、同一の符号を付してその説明を省略する。また、下記に説明する以外の構成は、第１実施形態と同じである。
【００５８】
図８に示すように、本実施形態では、取付部材３７に衝撃吸収部３１が設けられるのに代えて、表示ユニット３に衝撃吸収部３１が設けられている。衝撃吸収部３１は、ガラスセル１１（パネルセル）とは構造的に独立した部材と、設置ユニットとの間に設けられている。
【００５９】
詳しく述べると、本実施形態では、表示ユニット３は、取付部材３７が固定される部分を有し、この部分に衝撃吸収部３１が設けられている。衝撃吸収部３１は、例えばバックカバー１５と取付部材３７との間に設けられている。
【００６０】
パネルユニット６及び筐体５は、衝撃吸収部３１を介して取付部材３７に支持されており、取付部材３７に直接に固定されていない。これにより、天井３６から取付部材３７に伝わる衝撃及び振動の一部は、ガラスセル１１に伝わる前に衝撃吸収部３１によって吸収される。これにより、ガラスセル１１には、大きな衝撃及び振動が伝わり難い。
【００６１】
このような構成によれば、上記第１実施形態と同様に、ガラスセル１１を確実に保持することが可能な表示装置１を提供することができる。また、上記第４実施形態と同様に、天井３６からの衝撃及び振動は衝撃吸収部３１によって緩和され、ガラスセル１１の保持をさらに確実にすることができる。
【００６２】
なお、本実施形態は、第３、第５、及び第６実施形態に係る設置ユニット（すなわち、壁掛け金具４またはスタンド４２で表示ユニット３が支持される構造）にも其々適用することができる。すなわち、これらの実施形態においても、衝撃吸収部３１は、設置ユニットに代えて、表示ユニット３に設けられてもよい。これらの構成によれば、表示ユニット３に衝撃吸収部３１が設けられるため、設置ユニット（壁掛け金具４、取付部材３７、スタンド４２）の汎用化を図ることができる。
【００６３】
（第８施形態）  
次に、図９及び図１０を参照して、第８実施形態に係る表示装置１を説明する。なお、第１、第３、及び第４の実施形態の構成と同一または類似の機能を有する構成は、同一の符号を付してその説明を省略する。また、下記に説明する以外の構成は、第１実施形態と同じである。
【００６４】
図９に模式的に示すように、本実施形態では、ガラスセル１１の表示エリアＤを押さえる細線５１（ワイヤ部材）が設けられている。なお図９では、細線５１は、説明の便宜上、表示エリアＤから離れて描かれているが、実際は表示エリアＤに接しているか、または表示エリアＤの近傍に位置する。
【００６５】
細線５１は、「押さえ部材」の一例である。細線５１は、ガラスセル１１の表示エリアＤに向かい合うとともに、取付部材３７に固定されている。取付部材３７は、「ガラスセル（パネルセル）とは構造的に独立した部材」の一例である。なお、細線５１は、取付部材３７に代えて、筐体５やバックカバー１５、またはバックライトユニット１２などに固定されてもよい。
【００６６】
図１０に示すように、細線５１は、例えば２本設けられている。第１の細線５１は、ガラスセル１１の横幅方向の中央部に設けられ、ガラスセル１１を鉛直方向に横断している。第２の細線は、ガラスセル１１の縦幅方向の中央部に設けられ、ガラスセル１１を水平方向に横断している。第１及び第２の細線５１は、ガラスセル１１の中央部に其々向かい合い、ガラスセル１１の中央部１１ｄを押さえる。
【００６７】
なお、本明細書で「表示エリアを押さえる」とは、通常時にガラスセルの表面に接しているものに加え、通常時はガラスセルの表面から離れるとともに、万が一にガラスセルが脱落しそうになった時にガラスセルの表面に接するものも含む。
【００６８】
また、本実施形態では、固定部２１は、無くてもよい。また、細線５１は、第１乃至第７の実施形態の全てにおいて追加的に適用可能である。すなわち、細線５１は、設置ユニット（壁掛け金具４、取付部材３７、及びスタンド４２）の種類、固定部２１の有無、衝撃吸収部３１の有無に関わらず、それら実施形態に適用可能である。つまり、細線５１は、例えば衝撃吸収部３１が設けられた種々の構造（第３、第４、第５、第６、及び第７の実施形態）と組み合わせて適用可能である。
【００６９】
このような構成によれば、ガラスセル１１の前面１１ａが細線５１によって押さえられるので、狭額縁の表示装置においても、ガラスセル１１が確実に保持され、ガラスセル１１の脱落を防止することができる。また、衝撃吸収部３１と組み合わせて適用することで、外部からの衝撃及び振動が衝撃吸収部３１で緩和され、ガラスセル１１の保持をさらに確実にすることができる。
【００７０】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
以下に、いくつかの表示装置を付記する。
［１］、表示エリアを有したガラスセルと、前記ガラスセルとは構造的に独立した部材と、前記ガラスセルの前記表示エリア以外の部分と前記部材とを固定した固定部と、を備えた表示装置。
［２］、［１］の記載において、前記表示エリアが露出する開口部が設けられたベゼルをさらに備え、前記部材は、前記ガラスセルに対して前記開口部とは反対側に位置した表示装置。
［３］、［１］または［２］の記載において、前記部材は、バックライトユニットであり、前記ガラスセルは、前記表示エリアを含む第１面と、該第１面とは反対側に位置し、前記バックライトユニットに向かい合う第２面とを有し、前記固定部は、前記ガラスセルの第２面と前記バックライトユニットとを固定した表示装置。
［４］、［３］の記載において、前記固定部は、前記バックライトユニットから前記ガラスセルに向かう光を通す部材である表示装置。
［５］、［４］の記載において、前記固定部は、少なくとも前記ガラスセルの中央部と前記バックライトユニットの中央部とを固定した表示装置。
［６］、［１］または［５］の記載において、当該表示装置が設置される設置場所と前記部材との間に設けられた設置ユニットと、前記設置ユニットに設けられた衝撃吸収部と、をさらに備えた表示装置。
［７］、［１］または［５］の記載において、前記表示装置が設置される設置場所と前記部材との間に設けられた設置ユニットと、前記設置ユニットと前記部材との間に設けられた衝撃吸収部と、をさらに備えた表示装置。
［８］、表示エリアを有したガラスセルと、前記ガラスセルとは構造的に独立した部材と、前記部材に固定され、前記ガラスセルの前記表示エリアを押さえる細線と、を備えた表示装置。
［９］、［８］の記載において、当該表示装置が設置される設置場所と前記部材との間に設けられた設置ユニットと、前記設置ユニットに設けられた衝撃吸収部と、をさらに備えた表示装置。
［１０］、［８］の記載において、当該表示装置が設置される設置場所と前記部材との間に設けられた設置ユニットと、前記設置ユニットと前記部材との間に設けられた衝撃吸収部と、をさらに備えた表示装置。
［１１］、パネルセルと、前記パネルセルとは構造的に独立した部材と、前記パネルセルと前記部材とを固定した固定部と、を備えた表示装置。
【符号の説明】
【００７１】
Ｄ…表示エリア、１…表示装置、２…壁、４…壁掛け金具、１１…ガラスセル、１２…バックライトユニット、１３…スペーサ、１４…ベゼル、１４ｃ…開口部、１５…バックカバー、２１…固定部、３１…衝撃吸収部、３６…天井、３７…取付部材、４１…床、４２…スタンド、５１…細線。
【図１】
0005269965.tif 000002
【図２】
0005269965.tif 000003
【図３】
0005269965.tif 000004
【図４】
0005269965.tif 000005
【図５】
0005269965.tif 000006
【図６】
0005269965.tif 000007
【図７】
0005269965.tif 000008
【図８】
0005269965.tif 000009
【図９】
0005269965.tif 000010
【図１０】
0005269965.tif 000011